(57)【要約】【課題】所謂ワンタッチ操作により支持金具に対し簡易に雪止め材を取付可能な屋根用雪止め装置を提供すること。【解決手段】勾配付き屋根１上に固定可能な支持金具２と、この支持金具２に取付可能な雪止め材３とを備え、勾配付き屋根１上に間隔を置いて固定された二個の前記支持金具２間に、前記雪止め材３が横架状態で取付可能に構成されている屋根用雪止め装置であって、前記雪止め材３は、前記支持金具２に対し上方から押圧荷重を加えることによって支持金具２に圧入支持される取付部４が設けられている屋根用雪止め装置。【選択図】図７
2019065588.tif 000002
【特許請求の範囲】
【請求項１】
勾配付き屋根上に固定可能な支持金具と、この支持金具に取付可能な雪止め材とを備え、勾配付き屋根上に間隔を置いて固定された複数の前記支持金具間に、前記雪止め材が横架状態で取付可能に構成されている屋根用雪止め装置であって、前記雪止め材は、前記支持金具に対し上方から押圧荷重を加えることによって支持金具に圧着可能な取付部が設けられていることを特徴とする屋根用雪止め装置。
【請求項２】
前記雪止め材の取付部は、前記支持金具に対し上方からハンマーなどの打撃具で打撃することによって支持金具に圧着可能に構成されていることを特徴とする請求項１記載の屋根用雪止め装置。
【請求項３】
前記支持金具に、前記雪止め材の取付部が上方から圧着可能な雪止め支持部が設けられていることを特徴とする請求項１，２のいずれか１項に記載の屋根用雪止め装置。
【請求項４】
前記雪止め材の取付部は、下部に開口部を有する形状に形成されていると共に、この下部開口部に、開口幅が前記支持金具より小さい圧着用幅狭開口部を有していて、この圧着用幅狭開口部を介して支持金具に対し被嵌圧着可能に構成されていることを特徴とする請求項１〜３のいずれか１項に記載の屋根用雪止め装置。
【請求項５】
前記雪止め材の取付部は、下部が開口するコ字状若しくはＣ字状に形成されていると共に、この下部開口部に、開口幅が前記支持金具より小さい圧着用幅狭開口部を有していて、この圧着用幅狭開口部を介して支持金具に対し被嵌圧着可能に構成されていることを特徴とする請求項１〜４のいずれか１項に記載の屋根用雪止め装置。
【発明の詳細な説明】
【技術分野】
【０００１】
本発明は、屋根用雪止め装置に関するものである。
【背景技術】
【０００２】
降雪地域の家屋の屋根には、屋根からの雪の滑落による災害等を防止するために雪止め装置が設置されている。
【０００３】
この種の雪止め装置としては、例えば、屋根の適宜な固定箇所に固定可能な支持金具と、長尺な雪止めアングルとから成り、屋根上に間隔を置いて固定された前記支持金具間に、雪止めアングルが架け渡し状態で取付けられているものがある。
【０００４】
また、これまでの雪止めアングルの支持金具への取付構造としては、例えば、支持金具に雪止めアングルを挿入支持可能な取付溝と、この取付溝の近傍に雪止めアングルを押え付けるアングルストッパーとが設けられていて、前記取付溝に挿入された雪止めアングルを、ボルトの締付操作によりアングルストッパーで上方から押え付ける取付構造が知られている（例えば、特許文献１参照。）。
【先行技術文献】
【特許文献】
【０００５】
【特許文献１】特開２０１７−１０１４７６号公報
【発明の概要】
【発明が解決しようとする課題】
【０００６】
本発明は、上記特許文献１のような支持金具を介して屋根上に雪止め材が取付けられる雪止め装置の改良に係るもので、ボルト締めなどの操作を伴うことなく、押圧荷重を加えるだけで支持金具に雪止め材を容易に圧着可能となる取付作業性に優れた屋根用雪止め装置を提供するものである。
【課題を解決するための手段】
【０００７】
添付図面を参照して本発明の要旨を説明する。
【０００８】
勾配付き屋根１上に固定可能な支持金具２と、この支持金具２に取付可能な雪止め材３とを備え、勾配付き屋根１上に間隔を置いて固定された複数の前記支持金具２間に、前記雪止め材３が横架状態で取付可能に構成されている屋根用雪止め装置であって、前記雪止め材３は、前記支持金具２に対し上方から押圧荷重を加えることによって支持金具２に圧着可能な取付部４が設けられていることを特徴とする屋根用雪止め装置に係るものである。
【０００９】
また、前記雪止め材３の取付部４は、前記支持金具２に対し上方からハンマーなどの打撃具28で打撃することによって支持金具２に圧着可能に構成されていることを特徴とする請求項１記載の屋根用雪止め装置に係るものである。
【００１０】
また、前記支持金具２に、前記雪止め材３の取付部４が上方から圧着可能な雪止め支持部５が設けられていることを特徴とする請求項１，２のいずれか１項に記載の屋根用雪止め装置に係るものである。
【００１１】
また、前記雪止め材３の取付部４は、下部に開口部を有する形状に形成されていると共に、この下部開口部に、開口幅が前記支持金具２より小さい圧着用幅狭開口部29を有していて、この圧着用幅狭開口部29を介して支持金具２に対し被嵌圧着可能に構成されていることを特徴とする請求項１〜３のいずれか１項に記載の屋根用雪止め装置に係るものである。
【００１２】
また、前記雪止め材３の取付部４は、下部が開口するコ字状若しくはＣ字状に形成されていると共に、この下部開口部に、開口幅が前記支持金具２より小さい圧着用幅狭開口部29を有していて、この圧着用幅狭開口部29を介して支持金具２に対し被嵌圧着可能に構成されていることを特徴とする請求項１〜４のいずれか１項に記載の屋根用雪止め装置に係るものである。
【発明の効果】
【００１３】
本発明は上述のように構成したから、勾配付き屋根上に、屋根勾配方向と直交する方向に間隔を置いて複数の支持金具を固定し、この複数の支持金具間に雪止め材を横架状態で取付けることにより勾配付き屋根に雪止め効果を付与でき、しかも、支持金具への雪止め材の取付けにボルト締めなどの操作が不要で、支持金具に対し押圧荷重を加えるだけの所謂ワンタッチ操作で支持金具に雪止め材（の取付部）を容易に圧着取付可能であるなど、極めて実用性に優れた屋根用雪止め装置となる。
【００１４】
また、請求項２記載の発明においては、ハンマーなどの打撃具で取付部を打撃するだけの極めて容易なワンタッチ操作で支持金具に雪止め材（の取付部）を圧着取付可能となる一層実用性に優れた構成の屋根用雪止め装置となる。
【００１５】
また、請求項３記載の発明においては、雪止め材の取付部が圧着可能な支持金具を簡易に設計実現可能となる一層実用性に優れた構成の屋根用雪止め装置となる。
【００１６】
また、請求項４，５記載の発明においては、支持金具に対し確実に圧着取付可能な取付部を簡易構成にして容易に設計実現可能となる一層実用性に優れた構成の屋根用雪止め装置となる。
【図面の簡単な説明】
【００１７】
【図１】本実施例の使用状態を示す概略説明斜視図である。
【図２】本実施例の支持金具を示す説明斜視図である。
【図３】本実施例の支持金具を勾配付き屋根上に固定し、この支持金具に雪止め材を取付けようとする様子を示す斜視図である。
【図４】図３に続いて、支持金具に雪止め材を取付けた状態を示す斜視図である。
【図５】図４の状態における、勾配付き屋根を省略した平面図である。
【図６】図５のＡ−Ａ線断面図である。
【図７】図５のＢ−Ｂ線断面図である。
【発明を実施するための形態】
【００１８】
好適と考える本発明の実施形態を、図面に基づいて本発明の作用を示して簡単に説明する。
【００１９】
勾配付き屋根１上に、屋根勾配方向と直交する方向に間隔を置いて複数の支持金具２を固定し、この複数の支持金具２に、取付部４を介して雪止め材３の取付けると、複数の支持金具２間に雪止め材３が横架状態で取付けられ、この雪止め材３が勾配付き屋根１上で雪止め作用を発揮する。
【００２０】
また、この際雪止め材３は、前記支持金具２に対し上方から押圧荷重を加えることにより、この雪止め材３に設けられている前記取付部４が支持金具２に圧着される。
【００２１】
即ち、支持金具２への雪止め材３の取付けに、従来装置では必要であったボルト締めなどの操作を伴うことなく、単に上方から押圧荷重を加えるだけの所謂ワンタッチ操作により支持金具２に雪止め材３（の取付部４）を取付可能であるので、この支持金具２への雪止め材３の取付作業が極めて容易に行われる。
【実施例】
【００２２】
本発明の具体的な実施例について図面に基づいて説明する。
【００２３】
本実施例の雪止め装置は、図１に示すように、勾配付き屋根１上に固定可能な支持金具２と、この支持金具２に取付可能な取付部４を両端部に有する長さ５００ｍｍ以下の棒状体若しくは帯板状体から成る雪止め材３とを備えている。
【００２４】
また、図面は、勾配付き屋根１として嵌合式の立平葺き屋根１を図示しているが、支持金具２の勾配付き屋根１への固定構造の変更により本発明は他の屋根構造にも適用可能である。
【００２５】
以下、本実施例では、この立平葺き屋根１のハゼ部６の長さ方向、即ち勾配付き屋根１の勾配方向に沿う方向に対応する方向を、後述する支持金具２及び雪止め材３における前後方向と定めて説明する。
【００２６】
本実施例の支持金具２は、図２に示すように、左右一対の挟持部材８と、この一対の挟持部材８間に架設状態に貫通配設される一本の締付ボルト９とから成り、一対の挟持部材８間に貫通配設された締付ボルト９の先端に締付ナット10を螺着することによって一対の挟持部材８がバラけない状態で接離自在に保持されていると共に、例えば挟持部材８に回り止め状態で貫通配設されている締付ボルト９に対して締付ナット10を締付回動することで、各挟持部材８に形成された挟持対向部７同士を接近させて勾配付き屋根１のハゼ部６を左右から挟持できて、勾配付き屋根１（のハゼ部６）に締付挟持固定可能に構成されている。
【００２７】
また、左右一対の挟持部材８は、金属製板材から成るもので、底板部11上に開放側を外側に向けた平面視コ字状のコ字板部12が設けられ、このコ字板部12上にその開放上側を上方から塞ぐようにして天板部13が水平に設けられている。
【００２８】
また、この挟持部材８のコ字板部12の中間板部14には、ボルト挿通孔15が設けられていて、このコ字板部12の中間板部14を向い合せて一対の挟持部材８が左右に対向配置され、この際連通状態となるボルト挿通孔15に前記締付ボルト９が貫通配設され、この締付ボルト９先端に前記締付ナット10が螺着されている。
【００２９】
また、この挟持部材８の中間板部14のボルト挿通孔15より下側には、支持板部16が突設されていると共に、この支持板部16は、その板面方向が前記天板部13の板面方向と略平行な水平状に突設され、さらにこの支持板部16より下側には、前記コ字板部12の両端の前板部17と後板部18の途中に至る範囲まで開口部19が貫通形成されて、このハゼ部６の逃げ口ともなる開口部19の下側に、中間板部14と同等の板幅を有する帯板状の前記挟持対向部７が、前記底板部11と一体に形成されている。
【００３０】
本実施例の雪止め材３は、線材を用いた丸棒状体で構成され、両端部に前記支持金具２に取付可能な取付部４が設けられている。
【００３１】
また、この雪止め材３は、立平葺き屋根１のハゼ部６間の並設間隔寸法（働き幅寸法）と同等の長さ寸法（例えば、３３３ｍｍや３５０ｍｍ等）を有するように設定構成されていて、隣接するハゼ部６に固定された二個の前記支持金具２間に、一個のこの雪止め材３を架け渡し状態（横架状態）で取付可能に構成されている（図１参照）。
【００３２】
即ち、線材で構成されている棒状のこの雪止め材３は、勾配付き屋根１上で横架していても目立ちにくく、勾配付き屋根１上にできる影も棒状であるため目立ちにくく、勾配付き屋根１の体裁が良好に保たれるように構成されている。尚、雪止め材３は、帯板材で構成されていても良い。
【００３３】
また、この雪止め材３の取付部４は、前記支持金具２に対し上方からハンマーなどの打撃具28で打撃するなどして押圧荷重を加えることによって支持金具２の雪止め支持部５に圧着可能に構成されている。
【００３４】
具体的には、取付部４は、図３，図６，図７に示すように、下部が開口する転コ字状（転Ｃ字状に構成されていても良い。）に折曲されて内側縦杆部24と上側横杆部25と外側縦杆部26とが連設する形状に形成されている。
【００３５】
この取付部４の前記支持金具２に対する圧着構造について説明すると、本実施例の取付部４は、前記内側縦杆部24と前記外側縦杆部26の左右対向間隔が、下方側ほど徐々に幅狭くなる転コ字状に構成されており、さらに外側縦杆部26の下端部が、下側ほど外方へ向かって傾斜する形状に形成されて、この外側傾斜下端部が圧入案内部27として構成されている。
【００３６】
即ち、取付部４は、圧入案内部27より上方側の下部開口部の開口幅が、最も幅狭くなる形状に形成されていて、この最も幅狭な開口部分が圧着用幅狭開口部29として構成されている。
【００３７】
一方、本実施例の支持金具２には、取付部４を上方から圧着支持可能な前記雪止め支持部５が設けられている。
【００３８】
具体的には、支持金具２の上方に上側支持部20が設けられ、支持金具２の中ほどに下側支持部21が設けられて、この上側支持部20と下側支持部21とが前記雪止め支持部５として構成されている。
【００３９】
更に詳しくは、前記一対の挟持部材８の天板部13に、左右方向に溝長を有し前記取付部４（雪止め材３）を構成する線材が嵌合載置可能な半円筒状の嵌合溝22が形成され、この嵌合溝22と隣接する各天板部13の外側縁（一対の挟持部材８の対向外側に存する縁部）が、前記取付部４を構成する線材が嵌合可能な形状に切欠されて（嵌合切欠部23が形成されて）、天板部13に取付部４を嵌合可能な嵌合溝22と嵌合切欠部23とが連設状態に設けられている。
【００４０】
そして、左右一対の挟持部材８の前記中間板部14を突き合せて位置を合わせた左右の嵌合溝22と嵌合切欠部23とが前記上側支持部20として構成されており、この上側支持部20で、前記取付部４の上側横杆部25とこの上側横杆部25両端の折曲部（上側横杆部25と内側縦杆部24及び外側縦杆部26との間の折曲連設部）を支持可能に構成されている（図４〜図７参照）。尚、嵌合溝22がなく、平坦な天板部13上面と左右の嵌合切欠部23とで前記上側支持部20を構成しても良い。
【００４１】
また、前記一対の挟持部材８の支持板部16の外縁部（一対の挟持部材８の対向外側に存する縁部）が、前記取付部４を構成する線材が嵌合可能な形状に切欠されて、この切欠部21が前記下側支持部21として構成されている。
【００４２】
そして、左右一対の挟持部材８の前記中間板部14を突き合せた際に、一対の挟持部材８の中ほどの対向外側に存するこの各下側挟持部21で、前記取付部４の内側縦杆部24の中ほどよりやや下側部分と、外側縦杆部26の中ほどよりやや下側部分とを支持可能に構成されている。
【００４３】
即ち、本実施例の雪止め支持部５は、雪止め材３の取付部４の内側縦杆部24と上側横杆部25と外側縦杆部26とを支持して、取付部４を立直状態で取付可能に構成されている（図４，図６，図７参照）。
【００４４】
また、前記上側支持部20は、一方の挟持部材８の嵌合切欠部23と他方の挟持部材８の嵌合切欠部23との間の間隔が、前記取付部４の圧着用幅狭開口部29の開口幅よりやや広く設定され、同様に一方の挟持部材８の前記下側支持部21と他方の挟持部材８の下側支持部21との間隔が、前記取付部４の圧着用幅狭開口部29の開口幅よりやや広く設定されている。
【００４５】
従って、この取付部４の内側縦杆部24と外側縦杆部26の下端を上側支持部20の左右の嵌合切欠部23に当てがい、図７に示すように取付部４の上側横杆部25に上方から打撃具28による押圧荷重を加えると、圧入案内部27が嵌合切欠部23に沿って下動することにより内側縦杆部24と外側縦杆部26の対向間隔が拡開する方向に少なくとも外側縦杆部26が撓み変形して取付部４が雪止め支持部５に被嵌圧着することとなり、圧着後は取付部４（線材）の復帰弾性により圧着用幅狭開口部29の開口幅が元に戻って（狭くなって）雪止め支持部５に対し抜止状態となるように構成されている。
【００４６】
即ち、本実施例は、ハンマー打撃などによる所謂ワンタッチ操作により、支持金具２に雪止め材３を容易に取付可能に構成されている。
【００４７】
また、本実施例の雪止め支持部５は、支持金具２の屋根勾配下方側に配される前側と、屋根勾配上方側に配される後側との前後二箇所に設けられている。
【００４８】
即ち、支持金具２には、前側雪止め支持部５Ａと後側雪止め支持部５Ｂとが設けられており、勾配付き屋根１上に固定された支持金具２の前側雪止め支持部５Ａに、前記雪止め材３の一端側の取付部４を取付けると同時に、後側雪止め支持部５Ｂに他の雪止め材３の他端側の取付部４を取付けて、この支持金具２の両側にこの支持金具２と間隔を置いて固定された他の支持金具２との間に二体の雪止め材３を横架状態で取付可能に構成されている（図１及び図３〜図５参照）。
【００４９】
換言すると、例えば、勾配付き屋根１上に屋根勾配方向と直交する方向に間隔を置いて固定された三個の支持金具２のうち、中央の支持金具２の前側雪止め支持部５Ａと右隣の支持金具２の前側雪止め支持部５Ａとの間に、前記取付部４を介して雪止め材３を横架状態で取付可能であると共に、中央の支持金具２の後側雪止め支持部５Ｂと左隣の支持金具２の後側雪止め支持部５Ｂとの間に、前記取付部４を介して他の雪止め材３を横架状態で取付可能に構成されている（三個の支持金具２間に二個の雪止め材３が隣同士前後に位置ズレした横架状態で取付可能となるように構成されている。）。
【００５０】
従って、一つの支持金具２の両側に横架するようにして雪止め材３を取付支持でき、これにより勾配付き屋根１上に屋根勾配方向と直交する方向に間隔を置いて固定した複数の支持金具２間に一個ずつ雪止め材３を取付けて、雪止め材３を勾配付き屋根１の屋根勾配方向と直交する方向に隙間なく並べることができ、このようにして長尺な雪止めアングルを用いた場合と同等の雪止め効果を発揮できる雪止め設備を構築することも可能に構成されている。
【００５１】
尚、本発明は、本実施例に限られるものではなく、各構成要件の具体的構成は適宜設計し得るものである。
【符号の説明】
【００５２】
１  勾配付き屋根
２  支持金具
３  雪止め材
４  取付部
５  雪止め支持部
28  打撃具
29  圧着用幅狭開口部
【図１】
2019065588.tif 000003
【図２】
2019065588.tif 000004
【図３】
2019065588.tif 000005
【図４】
2019065588.tif 000006
【図５】
2019065588.tif 000007
【図６】
2019065588.tif 000008
【図７】
2019065588.tif 000009